(57)【要約】      （修正有）【課題】作業者が板バネ状の端子に誤って接触してしまうことがあっても、板バネ状の端子が変形することがないようなスピーカを提供する。【解決手段】ボイスコイルに外部機器から給電させるためにフレームに結合され、一端側でボイスコイルに結合された板バネ状の端子９と、板バネ状の端子の他方の先端部分に貫通孔９ａを設け、フレームには、この貫通孔に対応させて板バネ状の端子における弾性変形方向の位置決めを行うための突起状のストッパーを設けるとともに、このストッパー６ａを貫通孔に挿通させてスピーカを構成することで、板バネ状の端子の弾性変形方向の過度の変形を防止することができる。【選択図】図１
2014027396.tif 000002
【特許請求の範囲】
【請求項１】
ヨークと、前記ヨークに結合されたマグネットとからなる磁気回路と、前記磁気回路と結合されたフレームと、前記フレームに支持された振動板と、前記振動板に固定されたボイスコイルと、前記ボイスコイルに外部機器から給電させるために前記フレームに結合され、一端側で前記ボイスコイルに結合された板バネ状の端子とを有するスピーカであって、前記板バネ状の端子の他方の先端部分には貫通孔が設けられ、前記フレームには、前記貫通孔に対応させて前記板バネ状の端子における弾性変形方向の位置決めを行うための突起状のストッパーを設けるとともに、このストッパーを前記貫通孔に挿通させてなるスピーカ。
【請求項２】
フレームは樹脂により形成され、ストッパーとフレームとが一体に形成された請求項１に記載のスピーカ。
【請求項３】
フレームは樹脂により形成され、板バネ状の端子をインサートまたはアウトサートしてフレームと一体に形成された請求項１に記載のスピーカ。
【請求項４】
板バネ状の端子の先端部分は、フレームの側面に沿って曲げられた請求項１に記載のスピーカ。
【請求項５】
貫通孔は、弾性変形方向に長手を有する長方形形状とした請求項１に記載のスピーカ。
【請求項６】
貫通孔の弾性変形方向の長手方向寸法により、板バネ状の端子のストロークを弾性変形の可逆限界値内とした請求項５に記載のスピーカ。
【請求項７】
貫通孔の短手方向である横方向寸法と、ストッパーの横方向寸法とをほぼ等しく設定した請求項１に記載のスピーカ。
【請求項８】
貫通孔の寸法と、ストッパーの寸法とをほぼ等しく設定した請求項１に記載のスピーカ。
【請求項９】
ストッパーの一部に傾斜を設けて構成した請求項１に記載のスピーカ。
【請求項１０】
請求項１から請求項９のいずれか１つに記載のスピーカを搭載した携帯電話。
【請求項１１】
請求項１から請求項９のいずれか１つに記載のスピーカを搭載した電子機器。
【発明の詳細な説明】
【技術分野】
【０００１】
本発明は、携帯電話や各種電子機器に用いられるスピーカに関するものである。
【背景技術】
【０００２】
従来のスピーカについて図７を用いて説明する。
【０００３】
図７は従来のスピーカの斜視図である。
【０００４】
図７に示すように、従来のスピーカ３０は、フレーム２６と、外部機器から給電させるためにフレーム２６に結合された板バネ状の端子２９とを有して構成されていた。
【０００５】
ここで、板バネ状の端子２９は、先端部分を外部機器の給電部に接触させて、板バネの有する加圧力を常時加えることで、安定して給電させる構成となっている。
【０００６】
なお、この出願の発明に関連する先行技術文献としては、例えば、特許文献１が知られている。
【先行技術文献】
【特許文献】
【０００７】
【特許文献１】特開２００６−１２８９２４号公報
【発明の概要】
【発明が解決しようとする課題】
【０００８】
しかしながら、上記従来の構成では、板バネ状の端子先端がむき出しの状態になっているため、スピーカの生産や箱詰めを行う作業者や、スピーカを携帯電話や電子機器に搭載する作業者が、作業中に誤って板バネ状の端子先端に接触してしまい、変形させてしまうことでセット側の電極位置からずれて接続ができなくなったり、接圧が確保できなくなったりして導通不良が発生するという課題を有するものであった。
【０００９】
本発明は、このような課題を解決し、作業者が板バネ状の端子に誤って接触してしまうことがあっても、板バネ状の端子が変形することがないようなスピーカを提供することを目的とするものである。
【課題を解決するための手段】
【００１０】
上記目的を解決するために本発明は、ヨークと、このヨークに結合されたマグネットと、このマグネットのヨークとの反対側に結合されたプレートとからなる磁気回路と、この磁気回路と結合されたフレームと、このフレームに支持された振動板と、この振動板に固定されたボイスコイルと、このボイスコイルに外部機器から給電させるためにフレームに結合され、一端側でボイスコイルに結合された板バネ状の端子とから構成し、板バネ状の端子の他方の先端部分には貫通孔が設けられ、フレームには、貫通孔に対応させて板バネ状の端子における弾性変形方向の位置決めを行うための突起状のストッパーを設けるとともに、このストッパーを貫通孔に挿通させて構成したものである。
【００１１】
この構成とすることで、ストッパーにより板バネ状の端子の位置決めができ、板バネ状の端子の弾性変形方向の過度な変形を防止することができる。
【発明の効果】
【００１２】
本発明のスピーカは、板バネ状の端子の他方の先端部分には貫通孔が設けられ、フレームには、貫通孔に対応させて板バネ状の端子における弾性変形方向の位置決めを行うための突起状のストッパーを設けるとともに、このストッパーを貫通孔に挿通させて構成することで、ストッパーにより板バネ状の端子の位置決めができ、板バネ状の端子の弾性変形方向の過度な変形を防止することができる。
【００１３】
よって本発明は、板バネ状の端子の弾性変形方向に対しての過度の変形を防止することができるため、本発明のスピーカを携帯電話や電子機器等のセットに搭載したときに、板バネ状の端子がセット側の給電部分に確実に適正な接圧で給電させることができ、安定した給電を実現することができるという品質、信頼性上極めて大きな効果を奏するものである。
【図面の簡単な説明】
【００１４】
【図１】本発明の一実施の形態におけるスピーカの斜視図
【図２】本発明の一実施の形態におけるスピーカの要部拡大斜視図
【図３】本発明の一実施の形態におけるスピーカの要部拡大斜視図
【図４】本発明の一実施の形態におけるスピーカの短径方向の断面図
【図５】本発明の一実施の形態におけるスピーカの長径方向の断面図
【図６】本発明の一実施の形態における携帯電話の要部断面図
【図７】従来のスピーカの斜視図
【発明を実施するための形態】
【００１５】
以下、本発明におけるスピーカについて図面を参照しながら説明する。
【００１６】
図１は本発明の一実施の形態におけるスピーカの斜視図を示したものであり、図２および図３は同様にスピーカの要部拡大斜視図を示したものであり、図４は同様にスピーカの短径方向の断面図を示したものであり、図５は同様にスピーカの長径方向の断面図を示したものである。
【００１７】
また、図６は本発明の一実施の形態における電子機器である携帯電話の要部断面図を示したものである。
【００１８】
図１から図５に示すように、ヨーク３と、このヨーク３に結合されたマグネット２と、このマグネット２のヨーク３との反対側に結合されたプレート１とで磁気回路４を構成している。
【００１９】
そして、磁気回路４と結合されたフレーム６と、フレーム６に支持された振動板７と、振動板７に固定されたボイスコイル８と、ボイスコイル８に外部機器から給電させるためにフレーム６にインサートして結合され、一端がボイスコイル８に結合された板バネ状の端子９とから構成している。
【００２０】
そして、板バネ状の端子９の他方の先端部分には貫通孔９ａが設けられ、フレーム６には、貫通孔９ａに対応させて板バネ状の端子９における弾性変形方向の位置決めを行うための突起状のストッパー６ａを設けるとともに、このストッパー６ａを貫通孔９ａに挿通させて構成したものである。
【００２１】
この構成とすることで、フレーム６のストッパー６ａにより板バネ状の端子９の位置決めができ、板バネ状の端子９の弾性変形方向の過度な変形を防止することができる。
【００２２】
すなわち、詳述すると、板バネ状の端子９は、ボイスコイル８に結合された一端と、携
帯電話や電子機器等のセットから給電するためのもう一端の先端部分である給電部分と、これらの中間部分とから構成されている。
【００２３】
そして、板バネ状の端子９は、その中間部分で、略Ｖ字形状に折り曲げられ、この折り曲げによりセットから接触給電するための加圧力を発生させ、給電部分は、弾性変形方向に加圧してセット側から安定して接触給電させるためにフレーム６や磁気回路４から飛び出る構成としている。
【００２４】
さらに、板バネ状の端子９の先端部分は、フレーム６の側面に沿って曲げられ、この先端部分に設けられた貫通孔９ａに、フレーム６の側面に設けられたストッパー６ａを、挿通させて構成している。
【００２５】
この構成とすることで、板バネ状の端子９の先端部分は、その中間部分が略Ｖ字形状に折り曲げられたことにより、常時もとの形状に戻ろうとする力が働くが、板バネ状の端子９の先端部分の貫通孔９ａに、フレーム６のストッパー６ａを挿通させていることから、貫通孔９ａにストッパー６ａが引っ掛ることにより、板バネ状の端子９における弾性変形方向の位置決めを行うことができる。
【００２６】
そして、携帯電話や電子機器等のセットから接触給電させるときには、このスピーカ１０に圧力をかけてセットに搭載することで、板バネ状の端子９の先端部分近傍の接触給電部分が弾性変形方向に変形することで、適切な接圧を発生させることができる。
【００２７】
そして、貫通孔９ａにストッパー６ａが引っ掛ることにより、板バネ状の端子９は、ストッパー６ａの効果により、この貫通孔９ａの範囲内でしか移動することができなくなるため、この板バネ状の端子９の弾性変形方向の過度な変形を防止することができる。
【００２８】
よって、板バネ状の端子９の弾性変形方向への過度な変形が発生しないため、セット側の電極と確実に接触させることができると共に適切な接圧を発生させ、また維持することができるため、携帯電話や電子機器等のセットから安定した給電を実現することができる。
【００２９】
ここで、板バネ状の端子９の先端部分の貫通孔９ａの形成については、板バネ状の端子９を金型により抜き加工するときに、外径抜きと同時に貫通孔９ａの抜き加工も実施して形成することができる。
【００３０】
よって、金型に加工するのみで、外径抜きと同時に貫通孔９ａの形成も実施することができるため、生産工程の追加が発生することもなく、生産性や低価格化を維持したまま実施することが可能である。
【００３１】
ここで、フレーム６は、樹脂により形成され、さらにストッパー６ａとフレーム６とが一体に形成されている。
【００３２】
このような構成とすることで、ストッパー６ａを簡単に、しかも生産性良好に生産することができ、よって、生産性向上や低価格化を実現することができる。
【００３３】
さらに、ここではフレーム６と板バネ状の端子９とを射出成形により、同時にインサートして一体成形した例について説明したが、これに限定されることなくアウトサートして一体成形しても良い。
【００３４】
このように、フレーム６と板バネ状の端子９とを射出成形により、同時にインサートま
たはアウトサートして一体成形することにより、一層簡単に、しかも一層生産性良好に生産することができ、よって、一層の生産性向上や低価格化を実現することができる。
【００３５】
以上のように、従来からの課題であった板バネ状の端子９がむき出しの状態になっていることにより、スピーカの生産や箱詰めを行う作業者や、スピーカを携帯電話や電子機器に搭載する作業者が、作業中に誤って板バネ状の端子９に接触してしまうことがあっても、板バネ状の端子９の弾性変形方向の過度な変形が発生することがなくなる。
【００３６】
よって本発明は、板バネ状の端子９の弾性変形方向に対しての過度の変形を防止することができるため、本発明のスピーカを携帯電話や電子機器等のセットに搭載したときに、板バネ状の端子９がセット側の給電部分に確実に適正な接圧で給電させることができ、安定した給電を実現することができるという品質、信頼性上極めて大きな効果を奏するものである。
【００３７】
以上、本発明の一実施の形態について詳述したが、次に使用される材料や、形状の詳細部分、他の実施の形態について説明する。
【００３８】
フレーム６は樹脂により形成され、ストッパー６ａとフレーム６とを一体に形成することで、フレーム６とストッパー６ａとを簡単に、しかも生産性良好に生産することができるが、ストッパー６ａの材質は、樹脂による形成のみならず、金属等の樹脂以外の材料により形成されていても良い。
【００３９】
ストッパー６ａの材質が、金属等の樹脂以外の材料により形成されている場合には、フレーム６とストッパー６ａとを射出成形により、同時にインサートして一体成形することにより、一層簡単に、しかも一層生産性良好に生産することができる。
【００４０】
さらに、金属等の樹脂以外の材料により形成した場合は、金属等の樹脂以外の材料の有する特長、例えば強度や耐熱性を良好化させることができる等、使用する材料の特長を活かすことができ、要求される特性に応じた対応が可能となる。
【００４１】
また、板バネ状の端子９の先端部分は、フレーム６の側面に沿って、曲げて構成しているが、この曲げる角度については、直角か、または直角に近い角度とすることが望ましい。
【００４２】
この構成とすることで、板バネ状の端子９の貫通孔９ａとフレーム６のストッパー６ａとの引っ掛かりを安定させることができ、板バネ状の端子９における弾性変形方向の位置決めについての品質や信頼性を向上させることができる。
【００４３】
さらに、貫通孔９ａの形状については、弾性変形方向に長手を有する長方形形状とすることが望ましい。
【００４４】
この構成とすることで、弾性変形方向のストロークを大きく確保することができるため、セットへの適切な接圧を確保することができるとともに、前述した曲げる角度との効果からスピーカ１０の外径寸法の小型化を図ることができる。
【００４５】
尚、板バネ状の端子９のフレーム６や磁気回路４から飛び出る寸法については、スピーカ１０単体で大きく飛び出していても、セットに搭載するときには、圧力をかけて板バネ状の端子９を加圧して搭載させるため、スピーカ１０の外径寸法は大きくなることはなく、セットの小型化を阻害することはない。
【００４６】
むしろ、十分な接圧を確保することができることから、安定した接触給電を実現させることができ、信号がとぎれることによる音とぎれや導通不良等の発生を防止することができ、品質や信頼性をより向上させることができる。
【００４７】
そして、フレーム６のストッパー６ａの一部には傾斜を設けて構成することで、板バネ状の端子９の貫通孔９ａにフレーム６のストッパー６ａを挿入しやすくして生産性を向上させることができる。
【００４８】
また、他の実施の形態として、貫通孔の弾性変形方向の長手方向寸法の設定により、板バネ状の端子９のストロークを調整できる構成としても良い。
【００４９】
すなわち、先に説明した内容では、板バネ状の端子９の先端部分は、その中間部分が略Ｖ字形状に折り曲げられたことにより、常時もとの形状に戻ろうとする力が働いており、このため、図２のスピーカの要部拡大斜視図に示すように、板バネ状の端子９の先端部分は、その貫通孔９ａの最下部が、フレーム６のストッパー６ａに引っ掛ることにより、常時この初期状態で位置決めが行なわれている。
【００５０】
そして、携帯電話や電子機器等のセットから接触給電させるときには、このスピーカ１０に圧力をかけてセットに搭載することで、板バネ状の端子９の先端部分近傍の接触給電部分が弾性変形方向に変形することで適切な接圧を発生させているため、スピーカ１０に圧力をかけて板バネ状の端子９が初期状態から弾性変形方向に変形する方向のストッパーとしての機能は有していない。
【００５１】
このため、このスピーカ１０を搭載した携帯電話や電子機器等のセットに、落下衝撃等による予期せぬ過大衝撃が加えられた場合、さらにこれらの過大衝撃が多回数にわたり連続して加えられた場合、板バネ状の端子９は過大衝撃によりセットの給電部に強く押付けられて、板バネとしての可逆限界値を超えてしまう可能性がある。
【００５２】
このように、板バネ状の端子９が可逆限界値を超えてしまうと、セットの給電部への適切な接圧を発生させることができなくなる。
【００５３】
さらに、ひどい場合にはセットの給電部への接触を確保させることすらできなくなる可能性もある。
【００５４】
よって、この対策のため、板バネ状の端子９の貫通孔９ａの弾性変形方向の長手方向寸法を小さく設定することにより、板バネ状の端子９のストロークを小さく調整して、スピーカ１０の携帯電話や電子機器等のセットへの搭載時には、セットの給電部への適切な接圧を発生させつつ、落下衝撃等の過大衝撃が加えられた場合には、板バネとしての可逆限界値を超えないようにストッパーにより移動を制限することにより対策が可能となる。
【００５５】
この構成とすることで、携帯電話や電子機器等のセットが、落下衝撃等により予期せぬ過大衝撃が加えられた場合において、板バネとしての可逆限界値を超えてしまう方向に過大衝撃が加えられも、板バネ状の端子９の移動を制限することにより、セットの給電部への適切な接圧を確保することができ、信号がとぎれることによる音とぎれや導通不良等が発生することなく品質や信頼性面において極めて大きな効果を発揮させることができる。
【００５６】
また、板バネ状の端子９の貫通孔９ａの短手方向である横方向寸法と、フレーム６のストッパー６ａの横方向寸法とをほぼ等しく設定することが望ましい。
【００５７】
もちろん、フレーム６のストッパー６ａは、板バネ状の端子９の貫通孔９ａに挿通する
必要があることから、フレーム６のストッパー６ａの横方向寸法は、板バネ状の端子９の貫通孔９ａの短手方向である横方向寸法よりもわずかに小さく設定する必要がある。
【００５８】
この構成とすることで、弾性変形方向の変形防止に加え、弾性変形方向と交差する方向に対しても位置決めをすることができ、変形を防止することができる。
【００５９】
すなわち、板バネ状の端子９の貫通孔９ａの短手方向である横方向寸法と、フレーム６のストッパー６ａの横方向寸法とをほぼ等しく設定することで、板バネ状の端子９は、フレーム６のストッパー６ａに支えられているため、弾性変形方向と交差する方向に対しても位置決めをすることができ、変形を防止することができる。
【００６０】
従って、弾性変形方向への変形防止のみならず、弾性変形方向と交差する方向に対しても変形を防止することができ、品質や信頼性をより一層向上させることができる。
【００６１】
また、他の実施の形態として、図３に示すように、貫通孔９ａの寸法と、ストッパー６ａの寸法とをほぼ等しく設定した構成としても良い。
【００６２】
そして、この場合ストッパーの一部に大きな傾斜を設けて構成することが望ましい。
【００６３】
すなわち、先に説明した内容では、スピーカ１０単体の状態でも、スピーカ１０を携帯電話や電子機器等のセットに搭載した状態でも、板バネ状の端子９の先端部分は、その貫通孔９ａにストッパー６ａが常時挿通された状態になっている。
【００６４】
これに対して、この実施の形態の場合には、スピーカ１０単体の状態では、ストッパー６ａが貫通孔９ａに挿通されて位置決めが行なわれており、一方、このスピーカ１０単体をセットに搭載した状態では、ストッパー６ａが貫通孔９ａから外れる構成としたものである。
【００６５】
これは、板バネ状の端子９の弾性変形方向の過度な変形は、スピーカ１０単体の状態で発生することがほとんどであり、このため貫通孔９ａの寸法と、ストッパー６ａの寸法とをほぼ等しく設定した構成とすることで、弾性変形方向にも弾性変形方向と交差する方向にも強固に位置決めをすることができ、極めて強力な変形防止効果を得ることができる。
【００６６】
そして、このスピーカ１０単体をセットに搭載した状態では、セットの給電部により板バネ状の端子９に圧力を加えることで、ストッパー６ａの上部に設けられた大きな傾斜を板バネ状の端子９が滑り落ちてストッパー６ａが貫通孔９ａから外れる構成としたものである。
【００６７】
このように、一旦スピーカ１０単体をセットに搭載したあとに於いては、作業者が板バネ状の端子９に接触してしまうことがないため、ストッパーとしての機能はなくとも、セットの給電部への適切な接圧さえ確保できれば、安定した接触給電を実現させることができ、品質や信頼性面では十分な効果を発揮することができる。
【００６８】
以上説明したように、実施の形態として、いくつかの形態について説明したが、これらの形態については、そのスピーカやこれを搭載した携帯電話や電子機器等のセットに於いて、それらに要求される状況に応じて選択的に使い分けることが可能であり、このように対応することで、より大きな効果を奏することができる。
【００６９】
以上、端子の変形防止を実現したスピーカについて説明したが、次に、このスピーカを搭載した携帯電話や電子機器について説明する。
【００７０】
前述したスピーカは、板バネ状の端子の先端部分に設けられた貫通孔と、この貫通孔に挿通することにより、端子の変形を防止するためのフレームのストッパーを設けた構成により、スピーカの端子の変形を防止している。
【００７１】
図６は本発明の一実施の形態における電子機器である携帯電話の要部断面図を示したものであり、前述の本発明のいずれか１つのスピーカ１０を搭載して携帯電話８０を構成したものである。
【００７２】
ここで、この携帯電話８０の構成としては、スピーカ１０と電子回路４０と液晶表示６０等の各部品を外装ケース７０の内部に搭載して携帯電話８０の要部を構成している。
そして、スピーカ１０のターミナル９と電子回路４０とをバネ圧をかけながら接触給電させてスピーカ１０を動作させている。
【００７３】
この構成とすることにより、板バネ状の端子９の先端部分に設けられた貫通孔と、この貫通孔に挿通することにより、板バネ状の端子９の変形を防止するためのフレームのストッパーを設けたことにより、板バネ状の端子９の弾性変形方向への過度な変形が発生しないため、適切な接圧を発生させ、また維持することができるため、携帯電話のセットから安定した給電を実現することができる。
【００７４】
すなわち、スピーカ１０の生産や箱詰めを行う作業者や、スピーカ１０を携帯電話８０に搭載する作業者が、作業中に誤って板バネ状の端子９に接触してしまっても、過度な変形が発生しないため、セット側との給電ができなくなったり、接圧が確保できなくなったりして導通不良が発生することもなくなる。
【００７５】
そして、板バネ状の端子９は、常時、強いバネ圧を維持することができ、携帯電話８０の電子回路４０の給電部との接触結合が安定化し、携帯電話８０に衝撃がかかったり、振動したりした時でも、接触不良を発生することがないため、信号がとぎれることなく安定化させることができる。
【００７６】
よって、携帯電話の信頼性や品質の向上を図ることができる。
【００７７】
尚、当実施の形態は、電子機器として移動体通信機器である携帯電話に搭載した例について説明したが、これに限定されることなく、携帯用のゲーム機やポータブルナビゲーションやテレビ等の映像機器、さらにはパーソナルコンピュータであっても良い。
【００７８】
すなわち、スピーカを搭載する電子機器であれば、全てに適用可能である。
【産業上の利用可能性】
【００７９】
本発明は、端子の変形防止が必要なスピーカさらにはこれらを搭載した携帯電話および各種電子機器に適用できる。
【符号の説明】
【００８０】
１  ヨーク
２  マグネット
３  プレート
４  磁気回路
５  磁気ギャップ
６  フレーム
６ａ  ストッパー
７  振動板
８  ボイスコイル
９  端子
９ａ  貫通孔
１０  スピーカ
２６  フレーム
２９  端子
３０  スピーカ
４０  電子回路
６０  液晶表示
７０  外装ケース
８０  携帯電話
【図１】
2014027396.tif 000003
【図２】
2014027396.tif 000004
【図３】
2014027396.tif 000005
【図４】
2014027396.tif 000006
【図５】
2014027396.tif 000007
【図６】
2014027396.tif 000008
【図７】
2014027396.tif 000009